(57)【特許請求の範囲】
【請求項１】
布またはメッシュ状の素材またはその他の柔軟な素材からなる腹巻状の形状をした本体の上下部に本体と同径の伸縮ベルトを設けることで、本体を大人の両脚に通したときにその一部が乳幼児用の座椅子となることを特徴とした腹巻状乳幼児座椅子。
【発明の詳細な説明】
【技術分野】
【０００１】  本発明は、大人の両膝上に乳幼児を抱えて着座させる際に使用する腹巻状乳幼児座椅子に関する。
【背景技術】
【０００２】  従来、大人が乳幼児を抱きかかえて地面又は床又は座椅子等に着座しようとする際は、大人の両膝上に直接乗せることで乳幼児を保持していた。大人の両膝上の上面の形状は山谷状の凹凸になっているため、その上に着座する乳幼児は姿勢が一定にならず、重心も左右に傾き、常に不安定な状態であった。しかも乳幼児はよく動くため、大人はその安全性を保つために、常時、片手もしくは両手を使って乳幼児を注意深く保持する必要があった。うっかり手を離そうものならすぐさま乳幼児は両膝上から落下し怪我をしかねない。しかもこの状態で日常的な育児行為、例えば、乳幼児の爪切り、靴下を履かせるといった行為を行おうものなら、いずれも両手を使わなければ乳幼児に施せない作業のため困難を極めていた。それ以外にも、テレビ・ビデオ・ＤＶＤ等を乳幼児と共に観る際、上記の姿勢では、少し離れたところにあるリモコンを取るにも、乳幼児を保持する姿勢が不安定なため前後左右に手を伸ばすことすらできず、一旦、乳幼児を膝から降ろして取る必要があるなど、大変不便であった。近年、親子のスキンシップ、乳幼児の知能の発達に良いとされる本の読み聞かせという育児行為も、上記の状態であるとページがめくりにくい、乳幼児の安全に気を取られるため本を安定して保持できない、乳幼児が良く動くので視界が妨げられ本が読みづらい等、様々な不便な点があった。
別の姿勢に、大人が両脚をあぐら状にしてその上に乳幼児を乗せて保持する姿勢もあり、上記の状態よりは乳幼児が安定して着座できるが、この場合、乳幼児の着座位置がより下位部になるため、爪切り、本の読み聞かせといった育児行為を行う際は、大人が乳幼児の上を覆い被さるような体位で作業しなければならず、大人は姿勢が悪い状態になるうえ、肩が凝る、長時間の作業で疲れやすいといった不便が生じていた。
そこで上記同様の育児行為を行う際に、大人の片手又は両手で乳幼児を保持する必要がなく、楽な姿勢で容易に乳幼児を安定した座位で保持でき、なおかつ軽量でコンパクトに収納でき持ち運びにも便利な腹巻状乳幼児座椅子があると便利である。
【発明の開示】
【発明が解決しようとする課題】
【０００３】  乳幼児の爪切りは、活発に動く乳幼児にとっては嫌がる作業の一つであったため、大人にとっては非常に作業がしづらく、大人は常に乳幼児が動かないよう慎重に気を配ったり、爪切りはさみで乳幼児の手や顔を怪我させないよう恐る恐る注意しながら爪を切らざるを得なかった。中には、乳幼児が寝ている間に切らなければならないこともあった。よく動く乳幼児に靴下をはかせることも、大人にとっては容易なことではなかった。これらの育児行為は、乳幼児の背後から行うと比較的容易に行えるため、大人の両膝上に乳幼児を乗せて行うことがあるが、直接大人の両膝上に乳幼児を乗せたのでは、乳幼児の着座面に凹凸があり、かつ着座面積も狭いため、乳幼児は常に左右いずれかにバランスをくずし、落ちそうになる。そのため大人は片手もしくは両手を使って常時乳幼児の体を支えていなければならず、この状態で乳幼児の爪きりや靴下をはかせるといった育児行為を行うことは至難の業であった。また、近年、一般の家庭でもよく行われる本の読み聞かせやテレビ、ビデオ、ＤＶＤの鑑賞といった知育行為も、上記の姿勢では、大人の手が自由に使用できないため、本のページがめくりにくかったり、本を保持しづらかったり、リモコンを取ったり操作することに支障をきたしていた。本発明は、これらの育児行為における様々な不便な点を解消し、乳幼児が大人の両膝上で安定した姿勢を保持でき、大人が育児行為を安心して容易に施すことができるようにしたものである。
【課題を解決するための手段】
【０００４】  そのために、本発明腹巻状乳幼児座椅子は、布又はメッシュ状の素材又はその他の柔軟な素材からなるもので、大人の両脚が中に通せるだけの十分な大きさの腹巻状の本体１と、この本体１の上下部に本体１と同径の伸縮ベルト２を設けたものからなる。この伸縮ベルト２が伸縮することで大人の両足に密着するため、どのような体型の大人の両膝部にも本体１を固定できる機能を有している。大人はこれを両膝に固定した状態で両膝を立て地面又は床又は座椅子等に着座し両脚を開脚することで、乳幼児のおしりを支えるに十分な平面が大人の両膝の上面域に安定した一つの面として形成される。形成された平面部が乳幼児の座椅子としての着座部３、大人の胸部が乳幼児の座椅子としての背もたれ部となり、乳幼児は安定した座位で長時間、安定したしせいを保持しながら腰掛けることが可能である。【０００５】  また、本発明腹巻状乳幼児座椅子は、初めから実施例１及び実施例２のように腹巻状でも良いし、実施例３のようにポケットの形状となりエプロンの構造の一部として含まれても良い。その場合は特に腹巻状でなくても良く、大人が地面または床に着座した際に大人の両膝上面域に安定した一定の平面部が形成されるものであれば良い。
本発明腹巻状乳幼児座椅子は、布またはメッシュ状の素材、またはその他の柔軟な素材からなる。
本発明乳幼児座椅子に設けられる上下の伸縮ベルト２は、実施例１及び実施例２ではギャザーテープや衣料用ゴムひもを使用しているが、大人の両膝に本体を固定するに十分な強度と柔軟性が保持できる太さ・素材であればいかなる素材も本発明の範疇に含まれる。
【発明の効果】
【０００６】  本発明の腹巻状乳幼児座椅子は、大人が両脚を中に通すと上下部の伸縮ベルト２により本体１を大人の両膝に固定できるため、使用時に大人が立ち上がっても落下することがなく、装着したまま移動ができる。本体１を両膝部に安定して固定した状態で大人が地面または床等に両膝を立て股を広げた状態で着座した際、両膝の上面部に一面の平らで安定した平面部が形成され乳幼児の着座部３となり、乳幼児が安定して着座できるという効果がある。そして、使用時は乳幼児の後頭部および背中は、大人の胸部にもたれかかり大人の懐部に深く着座できるため、乳幼児が前方や左右に転がり落ちにくくなる効果がある。着座した際、乳幼児の両足は前方に自然と突出した状態で保持されるので、靴下をはかせやすかったり、爪を切りやすくできる効果もある。
乳幼児を安定した姿勢で着座させることにより、大人は両手または片手を自由に使用できる効果があり、爪切りや本の読み聞かせ等の育児行為が容易に行える効果がある。
本発明腹巻状乳幼児座椅子は、柔軟な素材で形成されているため、コンパクトに収納ができ、かつ携帯にも便利といった効果もある。【０００７】  本発明腹巻状乳幼児座椅子は、上下部の伸縮ベルト２に伸縮性のある素材を使用しているため、どのような体型の大人にも装着可能といった効果がある。
本発明がエプロンの構造の一部として含まれた場合、その着座部５は普段はエプロンのポケット５としての機能を果たしながらも、必要なときにはポケット５を反転させ大人の両脚に固定させることで容易に着座部５として使用できるため、着脱の手間がかからないといった効果がある。
【実施例１】
【０００８】  図１が、本体１に上下部の伸縮ベルト２が取り付けられた図で、本体１はメッシュ状に編まれた柔軟な素材からなり、伸縮ベルト２は市販の巾３〜５ｃｍ程のギャザーテープ（伸縮ゴムが一体化したテープ状の帯布）を使用し、本体１に取り付けてあるが、本体１及び伸縮ベルト２を形成する素材はメッシュ状の素材以外にも柔軟かつ乳幼児が乗っても破損しないだけの十分な強度を保持できる素材であれば任意であり、伸縮ベルト２の形式も伸縮部が形成できるものであれば任意である。
図２が示すように、形状は腹巻状をしており、図３のとおり上下の区別はないため、大人は上下いずれの開口部から脚を入れても良い仕組みになっている。図５〜図９に示すように、本体１を両足に固定し、両脚を開脚した状態で使用する。上下２本ある伸縮ベルト２のうち両膝に近いほう伸縮ベルトは両膝を覆い隠した状態で使用しても良いし、図５〜図９が示すように両膝を覆い隠さず使用しても良い。
図１０〜図１２に示すように、乳幼児は、大人の両脚部上面に形成された平面上にできる柔軟な着座部３に深く腰掛けることで、安定した姿勢を保持できるものである。
【実施例２】
【０００９】  図１３〜図１６は、実施例１と同型の腹巻状乳幼児座椅子であるが、本体１の全面が布で、伸縮ベルト２は帯状の布の中に３本の衣料用ゴムひもを通して本体１に取り付けたものであり、実施例１よりも強度において優るものである。
【実施例３】
【００１０】  実施例３は、乳幼児の着座部がエプロンの一部として組み込まれた形状のものである。一般的にエプロンはその両端に着いた２本の紐で大人の腰部にくくり付けて固定し使用する。そのため、この場合、本発明は腹巻状にする必要はなく、図２０が示すように、エプロン４の前面に設けたポケット５を図２１及び図２２が示すように下に反転することで乳幼児の着座部５となる。ポケット５は台形で上底と左右の辺はエプロン４に縫い付けられておらず、下底のみエプロン４に縫い付け固定されている。実施例３では、ポケットは台形をしているが、正方形や長方形であっても良い。着座部５をポケットとして使用する際は、上底に取り付けられたベルト６を図２１が示すように腰に巻き、ベルト６の一端に取り付けたリング状の固定具にもう一端を通すことで腰部にポケット５が固定される。ベルト６の素材は任意であり、固定具７の素材及び形状も長さが自由に調節できる形式であれば任意である。着座部としてポケット５を使用する際は、図２２が示すように固定具７をゆるめベルト６を両脚部に下げポケット５を反転させることで乳幼児の着座部５として使用できる。この状態で図２３が示すように大人は両脚を開脚した状態で着座することで、大人の両膝の上面に形成された平面上に乳幼児を着座させることができる。実施例３では、ポケットの素材は布を使用しているが、メッシュ状の素材またはその他の柔軟な素材であっても良い。
エプロンは実施例３では下半身に巻き付ける半身用のものを使用しているが、ポケット兼乳幼児の着座部５が取付けられるものであればいずれの型のエプロンでも範疇とする。
【図面の簡単な説明】
【００１１】
【図１】本発明腹巻状乳幼児座椅子を示す正面図である。
【図２】同じくその斜面図である。
【図３】同じくその上面図（下面図）である。
【図４】同じくその側面図である。
【図５】実施例１を示す正面図である。
【図６】同じくその側面図である。
【図７】同じくその背面図である。
【図８】同じくその上面図である。
【図９】同じくその下面図である。
【図１０】実施例１に乳幼児を乗せて使用した正面図である。
【図１１】同じくその側面図である。
【図１２】同じくその上面図である。
【図１３】実施例２の正面図である。
【図１４】同じくその斜面図である。
【図１５】同じくその上面図（下面図）である。
【図１６】同じくその側面図である。
【図１７】実施例３を広げた状態の正面図である。
【図１８】同じくその上面図である。
【図１９】同じくその断面図である。
【図２０】実施例３の斜面図である。
【図２１】実施例３においてポケット兼乳幼児着座部５をポケット部として使用した正面図である。
【図２２】ポケット兼乳幼児着座部５を着座部として使用した正面図である。
【図２３】実施例３に乳幼児を乗せて使用した正面図である。
【符号の説明】
【００１２】    １  本体
２  伸縮ベルト
３  大人の両脚の上面に形成される乳幼児の着座部
４  エプロン
５  ポケット兼乳幼児の着座部
６  ポケットの上底に取付けたベルト
７  ベルト６の長さを自由に調節できる固定具
【図１】
0004643440.tif 000002
【図２】
0004643440.tif 000003
【図３】
0004643440.tif 000004
【図４】
0004643440.tif 000005
【図５】
0004643440.tif 000006
【図６】
0004643440.tif 000007
【図７】
0004643440.tif 000008
【図８】
0004643440.tif 000009
【図９】
0004643440.tif 000010
【図１０】
0004643440.tif 000011
【図１１】
0004643440.tif 000012
【図１２】
0004643440.tif 000013
【図１３】
0004643440.tif 000014
【図１４】
0004643440.tif 000015
【図１５】
0004643440.tif 000016
【図１６】
0004643440.tif 000017
【図１７】
0004643440.tif 000018
【図１８】
0004643440.tif 000019
【図１９】
0004643440.tif 000020
【図２０】
0004643440.tif 000021
【図２１】
0004643440.tif 000022
【図２２】
0004643440.tif 000023
【図２３】
0004643440.tif 000024